(57)【要約】【課題】接合体と反応体との効果的な反応を誘導することができる診断システムを提供する。【解決手段】本発明による診断システムは、バッファウェル、リアクションウェル、及びウエイストウェルを含むカートリッジと、カートリッジ上で上下方向に移動するアクション部とを含む。アクション部は、リアクションウェルを覆うヒーティングカバー及びヒーティングカバーを加熱するヒーターを含む。【選択図】図２
2020095010.tif 000002
【特許請求の範囲】
【請求項１】
バッファウェル（ｂｕｆｆｅｒ  ｗｅｌｌ）、リアクションウェル（ｒｅａｃｔｉｏｎ  ｗｅｌｌ）、及びウエイストウェル（ｗａｓｔｅ  ｗｅｌｌ）を含むカートリッジと、
前記カートリッジ上で上下方向に移動するアクション部と、を備え、
前記アクション部は、前記リアクションウェルを覆うヒーティングカバー及び前記ヒーティングカバーを加熱するヒーターを含むことを特徴とする診断システム。
【請求項２】
前記カートリッジは、
前記バッファウェル内にバッファ容器をさらに含み、
前記バッファ容器は、その内部にバッファ液を含むことを特徴とする請求項１に記載の診断システム。
【請求項３】
前記アクション部は、
前記バッファ容器を加圧する加圧部をさらに含むことを特徴とする請求項２に記載の診断システム。
【請求項４】
前記アクション部の上方の支持板及び前記支持板上の第２トランスファーをさらに含み、
前記第２トランスファーは、動力部、前記動力部に連結されたホィール、及び前記ホィールに巻き取られるか又は巻き出されるワイヤーを含み、
前記ワイヤーは、前記アクション部に連結され、
前記アクション部は、前記アクション部と前記支持板との間にスプリングをさらに含むことを特徴とする請求項１に記載の診断システム。
【請求項５】
前記バッファウェルは、その内側壁から内側方向に突出する第１突起を含み、
前記バッファ容器は、その外側壁から外側方向に突出する第２突起を含み、
前記第１突起は、前記第２突起を支持することを特徴とする請求項２に記載の診断システム。
【請求項６】
第１ウェル及び第２ウェルを含むカートリッジと、
前記第１ウェルに連結されるノズルと、を備え、
前記ノズルは、前記第１ウェル内の空気を吸入するか、又は前記第１ウェル内に空気を排出することを特徴とする診断システム。
【請求項７】
前記ノズルに連結された連結チューブ及び前記連結チューブに連結された圧力調節部をさらに含み、
前記圧力調節部の駆動によって前記ノズルが空気を吸入又は排出することを特徴とする請求項６に記載の診断システム。
【請求項８】
前記ノズルは、前記第１ウェルの内部を覆うことを特徴とする請求項６に記載の診断システム。
【請求項９】
前記カートリッジを支持するカートリッジ駆動部をさらに含み、
前記カートリッジ駆動部は、前記カートリッジが挿入されるカートリッジ溝を含むことを特徴とする請求項６に記載の診断システム。
【請求項１０】
前記カートリッジは、第３ウェル及び前記第１乃至第３ウェルによって囲まれるバルブをさらに含むことを特徴とする請求項９に記載の診断システム。
【請求項１１】
ベースと、
前記ベース上の第１ウェルと、
前記ベース上の第２ウェルと、
前記第１ウェルと前記第２ウェルとの間に配置されるバルブと、を含み、
前記バルブは、回転可能であることを特徴とするカートリッジ。
【請求項１２】
前記第１ウェルと前記第２ウェルとの間に配置された連結部をさらに含み、
前記連結部内に前記バルブが挿入されることを特徴とする請求項１１に記載のカートリッジ。
【請求項１３】
前記ベース上の第３ウェルをさらに含み、
前記連結部は、前記第１ウェルに連結された第１連結管、前記第２ウェルに連結された第２連結管、及び前記第３ウェルに連結された第３連結管を含むことを特徴とする請求項１２に記載のカートリッジ。
【請求項１４】
前記第１連結管と前記第２連結管とは、互いに平行であり、
前記第３連結管は、前記第１連結管及び前記第２連結管と直交することを特徴とする請求項１３に記載のカートリッジ。
【請求項１５】
前記連結部は、前記バルブを支持するバルブ支持部を含み、
前記バルブ支持部の開口を通じて前記バルブの一部分が前記バルブ支持部の下に突出することを特徴とする請求項１２に記載のカートリッジ。
【請求項１６】
内部空間を含むリアクションウェルと、
前記リアクションウェル外の第１磁石と、
前記リアクションウェル内に配置され、前記リアクションウェルによって前記第１磁石から離隔される第２磁石と、
前記リアクションウェル内の第３磁石と、
前記第３磁石に連結される第１接合体と、
前記リアクションウェル内の発光体と、
前記発光体に連結される第２接合体と、を含むことを特徴とする診断システム。
【請求項１７】
前記第１磁石は回転可能であることを特徴とする請求項１６に記載の診断システム。
【請求項１８】
前記第２磁石は前記第１磁石の回転に応じて回転することを特徴とする請求項１７に記載の診断システム。
【請求項１９】
前記第１接合体は反応体に結合可能であり、
前記第２接合体は前記反応体に結合可能であることを特徴とする請求項１６に記載の診断システム。
【請求項２０】
前記第１磁石の最大長さは、前記第２磁石の最大長さよりも長いことを特徴とする請求項１６に記載の診断システム。
【請求項２１】
ベース及び側壁を含むバッファウェル（ｂｕｆｆｅｒ  ｗｅｌｌ）と、
前記バッファウェル内の破砕部と、
前記破砕部から離隔されたバッファ容器と、を備え、
前記破砕部は、メーン壁及び前記メーン壁から前記バッファ容器方向に突出した突出部を含むことを特徴とするカートリッジ。
【請求項２２】
前記メーン壁の上面の最下部のレベルは、前記突出部の上面の最上部のレベルよりも低いことを特徴とする請求項２１に記載のカートリッジ。
【請求項２３】
前記メーン壁の上面の最上部のレベルは、前記突出部の上面の最上部のレベルよりも高いことを特徴とする請求項２２に記載のカートリッジ。
【請求項２４】
前記メーン壁の上面は、前記ベースの上面に対して勾配を有することを特徴とする請求項２１に記載のカートリッジ。
【請求項２５】
前記メーン壁は、第１溝を含み、
前記第１溝は、前記メーン壁の上面が陥没されて定義されることを特徴とする請求項２１に記載のカートリッジ。
【発明の詳細な説明】
【技術分野】
【０００１】
本発明は、診断システムに関し、より詳しくは、接合体と反応体とを反応させて診断を行う診断システムに関する。
【背景技術】
【０００２】
最近の予防及び個別化医療（ｐｅｒｓｏｎａｌｉｚｅｄ  ｍｅｄｉｃｉｎｅ）時代に合わせて体外診断産業が脚光を浴びている。体外診断産業においては、糖尿病、高コレステロール、癌等のような各種の疾病を一滴の血、尿等によって確認することができる分野として、使用者が自宅で、又は携帯しながら、各種の疾病を確認することができる体外診断機器が開発されている。
【０００３】
体外診断機器の開発において、核心となる競争力は、標的物質と反応するバイオ物質（抗原、抗体、遺伝子、酵素等）を開発する生命工学技術と、これを測定するための機器を開発する情報技術との融合にある。世界的な体外診断企業は、大部分このような技術融合を通じて膨大な売上と純利益を創出する等、高付加価値の知識基盤産業をリードしている。
【先行技術文献】
【特許文献】
【０００４】
【特許文献１】特開２０１４−２０９７２号公報
【発明の概要】
【発明が解決しようとする課題】
【０００５】
本発明は、上記従来技術に鑑みてなされたものであって、本発明の目的は、接合体と反応体との効果的な反応を誘導することができる診断システムを提供することにある。
【課題を解決するための手段】
【０００６】
上記目的を達成するためになされた本発明の一態様による診断システムは、バッファウェル（ｂｕｆｆｅｒ  ｗｅｌｌ）、リアクションウェル（ｒｅａｃｔｉｏｎ  ｗｅｌｌ）、及びウエイストウェル（ｗａｓｔｅ  ｗｅｌｌ）を含むカートリッジと、前記カートリッジ上で上下方向に移動するアクション部と、を備え、前記アクション部は、前記リアクションウェルを覆うヒーティングカバー及び前記ヒーティングカバーを加熱するヒーターを含むことを特徴とする。
【０００７】
前記カートリッジは、前記バッファウェル内にバッファ容器をさらに含み、前記バッファ容器は、その内部にバッファ液を含むことができる。
前記アクション部は、前記バッファ容器を加圧する加圧部をさらに含むことができる。
前記アクション部の上方の支持板及び前記支持板上の第２トランスファーをさらに含み、前記第２トランスファーは、動力部、前記動力部に連結されたホィール、及び前記ホィールに巻き取られるか又は巻き出されるワイヤーを含み、前記ワイヤーは、前記アクション部に連結され、前記アクション部は、前記アクション部と前記支持板との間にスプリングをさらに含むことができる。
前記バッファウェルは、その内側壁から内側方向に突出する第１突起を含み、前記バッファ容器はその外側壁から外側方向に突出する第２突起を含み、前記第１突起は、前記第２突起を支持することができる。
【０００８】
上記目的を達成するためになされた本発明の他の態様による診断システムは、第１ウェル及び第２ウェルを含むカートリッジと、前記第１ウェルに連結されるノズルと、を備え、前記ノズルは、前記第１ウェル内の空気を吸入するか、又は前記第１ウェル内に空気を排出することを特徴とする。
【０００９】
前記ノズルに連結された連結チューブ及び前記連結チューブに連結された圧力調節部をさらに含み、前記圧力調節部の駆動によって前記ノズルが空気を吸入又は排出することができる。
前記ノズルは、前記第１ウェルの内部を覆うことができる。
前記カートリッジを支持するカートリッジ駆動部をさらに含み、前記カートリッジ駆動部は、前記カートリッジが挿入されるカートリッジ溝を含むことができる。
前記カートリッジは、第３ウェル及び前記第１乃至第３ウェルによって囲まれるバルブをさらに含むことができる。
【００１０】
上記目的を達成するためになされた本発明の一態様によるカートリッジは、ベースと、前記ベース上の第１ウェルと、前記ベース上の第２ウェルと、前記第１ウェルと前記第２ウェルとの間に配置されるバルブと、を含み、前記バルブは回転可能であることを特徴とする。
【００１１】
前記第１ウェルと前記第２ウェルとの間に配置された連結部をさらに含み、前記連結部内に前記バルブが挿入され得る。
前記ベース上の第３ウェルをさらに含み、前記連結部は、前記第１ウェルに連結された第１連結管、前記第２ウェルに連結された第２連結管、及び前記第３ウェルに連結された第３連結管を含むことができる。
前記第１連結管と前記第２連結管とは、互いに平行であり、前記第３連結管は、前記第１連結管及び前記第２連結管と直交することが好ましい。
前記連結部は、前記バルブを支持するバルブ支持部を含み、前記バルブ支持部の開口を通じて前記バルブの一部分が前記バルブ支持部の下に突出し得る。
【００１２】
上記目的を達成するためになされた本発明のさらに他の態様による診断システムは、内部空間を含むリアクションウェルと、前記リアクションウェル外の第１磁石と、前記リアクションウェル内に配置され、前記リアクションウェルによって前記第１磁石から離隔される第２磁石と、前記リアクションウェル内の第３磁石と、前記第３磁石に連結される第１接合体と、前記リアクションウェル内の発光体と、前記発光体に連結される第２接合体と、を含むことを特徴とする。
【００１３】
前記第１磁石は回転可能である。
前記第２磁石は前記第１磁石の回転に応じて回転し得る。
前記第１接合体は反応体に結合可能であり、前記第２接合体は前記反応体に結合可能である。
前記第１磁石の最大長さは、前記第２磁石の最大長さよりも長いことが好ましい。
【００１４】
上記目的を達成するためになされた本発明の他の態様によるカートリッジは、ベース及び側壁を含むバッファウェル（ｂｕｆｆｅｒ  ｗｅｌｌ）と、前記バッファウェル内の破砕部と、前記破砕部から離隔されたバッファ容器と、を備え、前記破砕部は、メーン壁及び前記メーン壁から前記バッファ容器方向に突出した突出部を含むことを特徴とする。
【００１５】
前記メーン壁の上面の最下部のレベルは、前記突出部の上面の最上部のレベルよりも低いことが好ましい。
前記メーン壁の上面の最上部のレベルは、前記突出部の上面の最上部のレベルよりも高いことが好ましい。
前記メーン壁の上面は前記ベースの上面に対して勾配を有することができる。
前記メーン壁は第１溝を含み、前記第１溝は、前記メーン壁の上面が陥没されて定義され得る。
【発明の効果】
【００１６】
本発明による診断システムは、ヒーティングカバーでリアクションウェル内の温度を上昇させることにより、リアクションウェル内の接合体と反応体とを効果的に反応させることができる。
【図面の簡単な説明】
【００１７】
【図１】本発明の一実施形態による診断システムの斜視図である。
【図２】本発明の一実施形態による診断システムのケースの内部を説明するための斜視図である。
【図３Ａ】本発明の一実施形態によるカートリッジの斜視図である。
【図３Ｂ】図３Ａに示すカートリッジの分解斜視図である。
【図３Ｃ】図３ＡのＡ−Ａ’線に沿った断面図である。
【図３Ｄ】図３ＣのＢ領域の拡大図である。
【図３Ｅ】図３ＣのＣ領域の拡大図である。
【図３Ｆ】図３ＡのＢ−Ｂ’線に沿った断面図である。
【図３Ｇ】図３Ｂに示すカートリッジ本体の概略的な平面図である。
【図３Ｈ】カートリッジ本体の破砕部を説明するための斜視図である。
【図３Ｉ】カートリッジのリアクションウェルの内部を説明するための断面図である。
【図４Ａ】カートリッジ駆動部の斜視図である。
【図４Ｂ】カートリッジ駆動部の分解斜視図である。
【図４Ｃ】図４ＡのＡ−Ａ’線に沿った断面図である。
【図５Ａ】支持部に連結された構成要素を説明するための斜視図である。
【図５Ｂ】アクション部を上から見た斜視図である。
【図５Ｃ】アクション部を下から見た斜視図である。
【図５Ｄ】図５ＢのＡ−Ａ’線に沿った断面図である。
【図６】本発明の一実施形態による診断システムの駆動方法を説明するためのフローチャートである。
【図７】本発明の一実施形態による診断システムの駆動方法を説明するための図である。
【図８Ａ】本発明の一実施形態による診断システムの駆動方法を説明するための図である。
【図８Ｂ】本発明の一実施形態による診断システムの駆動方法を説明するための図である。
【図８Ｃ】本発明の一実施形態による診断システムの駆動方法を説明するための図である。
【図８Ｄ】本発明の一実施形態による診断システムの駆動方法を説明するための図である。
【図９Ａ】本発明の一実施形態による診断システムの駆動方法を説明するための図である。
【図９Ｂ】本発明の一実施形態による診断システムの駆動方法を説明するための図である。
【図９Ｃ】本発明の一実施形態による診断システムの駆動方法を説明するための図である。
【図１０Ａ】本発明の一実施形態による診断システムの駆動方法を説明するための図である。
【図１０Ｂ】本発明の一実施形態による診断システムの駆動方法を説明するための図である。
【図１０Ｃ】本発明の一実施形態による診断システムの駆動方法を説明するための図である。
【図１１Ａ】本発明の一実施形態による診断システムの駆動方法を説明するための図である。
【図１１Ｂ】本発明の一実施形態による診断システムの駆動方法を説明するための図である。
【図１１Ｃ】本発明の一実施形態による診断システムの駆動方法を説明するための図である。
【図１２】本発明の一実施形態による診断システムの駆動方法を説明するための図である。
【発明を実施するための形態】
【００１８】
本発明の長所及び特徴、そしてそれらを達成するための方法は、図面と共に詳細に後述される実施形態を参照すると、明確になる。しかし、本発明は、以下で開示される実施形態に限定されるものではなく、互に異なる多様な形態で具現でき、本実施形態は単に本発明の開示が完全になるように、本発明が属する技術分野で通常の知識を有する者に本発明の技術範囲を完全に知らせるために提供される。本明細書の全文に亘って同一の参照符号は同一の構成要素を示す。
【００１９】
本明細書で使用される用語は実施形態を説明するためのものであり、本発明を限定するものではない。本明細書で、単数形は特に定義しない限り、複数形も含む。本明細書で使用される「含む（ｃｏｍｐｒｉｓｅ）」及び／又は「含んでいる（ｃｏｍｐｒｉｓｉｎｇ）」は記載された構成要素、段階、動作、及び／又は装置が、１つ以上の他の構成要素、段階、動作、及び／又は装置の存在又は追加を排除しない。以下、本発明の実施形態を詳細に説明する。
【００２０】
図１は、本発明の一実施形態による診断システムの斜視図である。図２は、本発明の一実施形態による診断システムのケースの内部を説明するための斜視図である。
【００２１】
図１及び図２を参照すると、本発明の一実施形態による診断システムは、ケース１００、第１トランスファー２００、カートリッジ３００、カートリッジ駆動部４００、支持部５００、アクション部６００、ポンプ７００、計測部８００、及び第２トランスファー９００を含む。
【００２２】
ケース１００は、その内部に空いた空間を含む。ケース１００の空いた空間内に第１トランスファー２００、カートリッジ駆動部４００、支持部５００、アクション部６００、ポンプ７００、計測部８００、及び第２トランスファー９００が配置される。
【００２３】
ケース１００は、カートリッジ開口１１０を含む。カートリッジ開口１１０を通じて、カートリッジ３００の上部がケース１００の外部に露出される。
【００２４】
第１トランスファー２００は、ケース１００の底面１２０上に配置される。第１トランスファー２００は、駆動ローラー２１０、回転ローラー２２０、ベルト２３０、レール２４０、及び移送板２５０を含む。ケース１００の底面１２０上に、駆動ローラー２１０及び回転ローラー２２０が配置される。駆動ローラー２１０及び回転ローラー２２０は、第１方向Ｄ１と第２方向Ｄ２とに互いに離隔される。第１方向Ｄ１は、ケース１００の底面１２０に平行な方向である。駆動ローラー２１０は、動力源を含んで自らが回転する。駆動ローラー２１０が回転すると、駆動ローラー２１０とベルト２３０との摩擦力によって、ベルト２３０が回転する。ベルト２３０が回転すると、ベルト２３０と回転ローラー２２０との摩擦力によって、回転ローラー２２０が回転する。
【００２５】
ケース１００の底面１２０上にレール２４０が配置される。レール２４０は、第１方向Ｄ１に延長される。レール２４０上に移送板２５０が配置される。移送板２５０は、第１方向Ｄ１及び第２方向Ｄ２に移動可能にレール２４０と連結される。第２方向Ｄ２は、第１方向Ｄ１の反対方向である。移送板２５０はベルト２３０に連結される。ベルト２３０の回転に応じて、移送板２５０が第１方向Ｄ１及び第２方向Ｄ２に移動する。
【００２６】
第１トランスファー２００の移送板２５０上にカートリッジ駆動部４００が配置される。第１トランスファー２００は、第１方向Ｄ１及び第２方向Ｄ２にカートリッジ駆動部４００を移動させる。
【００２７】
カートリッジ駆動部４００上にカートリッジ３００が配置される。カートリッジ駆動部４００の移動に応じて、カートリッジ３００が第１方向Ｄ１及び第２方向Ｄ２に移動する。カートリッジ駆動部４００はカートリッジ３００を駆動する。
【００２８】
支持部５００は、ケース１００の底面１２０上に配置される。支持部５００は、支持台５１０及び支持板５２０を含む。支持台５１０は、ケース１００の底面１２０に垂直な第３方向Ｄ３に延長される。支持台５１０は円柱形状を有する。一例として、４つの支持台５１０が配置される。支持台５１０によって支持板５２０が支持される。支持板５２０は、平らな板の形状を有する。支持板５２０の上面及び下面はケース１００の底面１２０に平行である。
【００２９】
支持部５００の支持板５２０と、ケース１００の底面１２０との間にアクション部６００が配置される。
【００３０】
支持部５００の支持板５２０上に、ポンプ７００、計測部８００、及び第２トランスファー９００が配置される。
【００３１】
図３Ａは、本発明の一実施形態によるカートリッジの斜視図である。図３Ｂは、図３Ａに示すカートリッジの分解斜視図である。図３Ｃは、図３ＡのＡ−Ａ’線に沿った断面図である。図３Ｄは、図３ＣのＢ領域の拡大図である。図３Ｅは、図３ＣのＣ領域の拡大図である。図３Ｆは、図３ＡのＢ−Ｂ’線に沿った断面図である。図３Ｇは、図３Ｂに示すカートリッジ本体の概略的な平面図である。図３Ｈは、カートリッジ本体に含まれる破砕部を説明するための斜視図である。図３Ｉは、カートリッジのリアクションウェルの内部を説明するための断面図である。
【００３２】
図３Ａ〜図３Ｉを参照すると、カートリッジ３００は、カートリッジ本体３１０、カバー３２０、バルブ３３０、及びバッファ容器３４０を含む。
【００３３】
カートリッジ本体３１０は、ベース３１１、バッファウェル（ｂｕｆｆｅｒ  ｗｅｌｌ）３１２、リアクションウェル（ｒｅａｃｔｉｏｎ  ｗｅｌｌ）３１３、ウエイストウェル（ｗａｓｔｅ  ｗｅｌｌ）３１４、連結部３１５、破砕部３１６、第１磁石３１７、第２磁石３１８ａ、第１接合体３１８ｂ、発光体３１８ｃ、及び第２接合体３１８ｄを含む。
【００３４】
ベース３１１は、平らな板の形状を有する。ベース３１１の上面は第１方向Ｄ１及び第２方向Ｄ２に平行である。ベース３１１上にバッファウェル３１２、リアクションウェル３１３、ウエイストウェル３１４、連結部３１５、破砕部３１６、第１磁石３１７、第２磁石３１８ａ、第１接合体３１８ｂ、発光体３１８ｃ、及び第２接合体３１８ｄが配置される。
【００３５】
バッファウェル３１２は、内部が空いた円筒の形状を有する。バッファウェル３１２は、ベース３１１から第３方向Ｄ３に突出する。バッファウェル３１２は、第１突起３１２ａを含む。第１突起３１２ａは、バッファウェル３１２の内側壁３１２ｂからバッファウェル３１２の内側方向に突出する。平面視で、第１突起３１２ａは、バッファウェル３１２の内側壁３１２ｂに沿って円形状に形成される。
【００３６】
リアクションウェル３１３は、内部が空いた円筒の形状を有する。リアクションウェル３１３は、ベース３１１から第３方向Ｄ３に突出する。リアクションウェル３１３の高さは、バッファウェル３１２の高さよりも低い。ここで、リアクションウェル３１３の高さは、ベース３１１からリアクションウェル３１３の最上部までの最短距離を意味し、バッファウェル３１２の高さは、ベース３１１からバッファウェル３１２の最上部までの最短距離を意味する。
【００３７】
ウエイストウェル３１４は、内部が空いた円筒の形状を有する。ウエイストウェル３１４は、ベース３１１から第３方向Ｄ３に突出する。ウエイストウェル３１４の高さは、バッファウェル３１２の高さよりも低い。
【００３８】
バッファウェル３１２とリアクションウェル３１３との間に連結部３１５が配置される。連結部３１５を通じてバッファウェル３１２、リアクションウェル３１３、及びウエイストウェル３１４が互いに連結される。平面視で、バッファウェル３１２、リアクションウェル３１３、ウエイストウェル３１４、及び連結部３１５は全体的にＴ字形の構造を有する。バッファウェル３１２、連結部３１５、及びリアクションウェル３１３は第５方向Ｄ５に配列される。第５方向Ｄ５は、ベース３１１の上面に平行であり、且つ第１方向Ｄ１と直交する方向である。連結部３１５及びウエイストウェル３１４は、第１方向Ｄ１に配列される。
【００３９】
平面視で、連結部３１５は、バッファウェル３１２、リアクションウェル３１３、及びウエイストウェル３１４によって囲まれる。連結部３１５は、バルブ挿入部３１５ａ、第１連結管３１５ｂ、第２連結管３１５ｃ、第３連結管３１５ｄ、及びバルブ支持部３１５ｅを含む。バルブ挿入部３１５ａは、内部が空いた円筒の形状を有する。バルブ挿入部３１５ａは、ベース３１１から第３方向Ｄ３に突出する。バルブ挿入部３１５ａの高さは、リアクションウェル３１３の高さよりも低い。バルブ挿入部３１５ａの内部にバルブ３３０が挿入される。第１〜第３連結管（３１５ｂ、３１５ｃ、３１５ｄ）は、内部が空いた管の形状を有する。第１連結管３１５ｂによって、バルブ挿入部３１５ａの内部とバッファウェル３１２の内部とが連結される。第２連結管３１５ｃによって、バルブ挿入部３１５ａの内部とリアクションウェル３１３の内部とが連結される。第３連結管３１５ｄによって、バルブ挿入部３１５ａの内部とウエイストウェル３１４の内部とが連結される。第１連結管３１５ｂと第２連結管３１５ｃとは互いに平行である。第３連結管３１５ｄは、第１連結管３１５ｂ及び第２連結管３１５ｃと直交する。バルブ支持部３１５ｅは、バルブ挿入部３１５ａの下に配置される。バルブ支持部３１５ｅは平面視で、円形である。バルブ支持部３１５ｅは、ベース３１１から第４方向Ｄ４に突出する。バルブ支持部３１５ｅは、支持部開口３１５ｅ１を含む。バルブ挿入部３１５ａ内の空間は、バルブ支持部３１５ｅの支持部開口３１５ｅ１を通じてベース３１１の下の空間に連通される。
【００４０】
バッファウェル３１２の内部に破砕部３１６が配置される。平面視で、破砕部３１６はバッファウェル３１２の中心に配置される。破砕部３１６は、メーン壁３１６ａ及び突出部３１６ｂを含む。
【００４１】
メーン壁３１６ａは、ベース３１１から第３方向Ｄ３に突出する。メーン壁３１６ａによって、メーン壁３１６ａ内の第１空間ＳＰ１が定義される。平面視で、第１空間ＳＰ１はメーン壁３１６ａによって囲まれる。平面視で、メーン壁３１６ａは円形の形状を有する。
【００４２】
メーン壁３１６ａは、第１上面３１６ａ１、第２上面３１６ａ２、流入開口３１６ａ３、第１溝３１６ａ４、第２溝３１６ａ５、第３溝３１６ａ６、第１流出開口３１６ａ７、及び第２流出開口３１６ａ８を含む。
【００４３】
平面視で、メーン壁３１６ａの第１上面３１６ａ１及び第２上面３１６ａ２は、円弧の形状を有する。図３Ｄに示す断面図で、メーン壁３１６ａの第１上面３１６ａ１及び第２上面３１６ａ２は、ベース３１１の上面に対して勾配を有する。また、メーン壁３１６ａの第１上面３１６ａ１の最上部３１６ａ１ｔと最下部の３１６ａ１ｂとは、第３方向Ｄ３及び第５方向Ｄ５に互いに離隔し、メーン壁３１６ａの第２上面３１６ａ２の最上部３１６ａ２ｔと最下部の３１６ａ２ｂとは、第３方向Ｄ３及び第５方向Ｄ５に互いに離隔する。
【００４４】
流入開口３１６ａ３は、第１空間ＳＰ１と垂直的に重畳される開口である。流入開口３１６ａ３は、第１上面３１６ａ１及び第２上面３１６ａ２の間に配置される。
【００４５】
第１溝〜第３溝（３１６ａ４、３１６ａ５、３１６ａ６）は、メーン壁３１６ａが第１上面３１６ａ１及び第２上面３１６ａ２からベース３１１方向に陥没されて定義される。第１溝３１６ａ４は、第１上面３１６ａ１の最上部３１６ａ１ｔと第２上面３１６ａ２の最上部３１６ａ２ｔのと間に配置される。第２溝３１６ａ５及び第３溝３１６ａ６は、第１上面３１６ａ１の最下部３１６ａ１ｂと第２上面３１６ａ２の最下部３１６ａ２ｂとの間に配置される。
【００４６】
第１流出開口３１６ａ７は、メーン壁３１６ａとベース３１１とによって定義される。第１流出開口３１６ａ７は、第１溝３１６ａ４の下に配置される。第２流出開口３１６ａ８は、メーン壁３１６ａとベース３１１とによって定義される。第２流出開口３１６ａ８は、第２溝３１６ａ５及び第３溝３１６ａ６の下に配置される。
【００４７】
突出部３１６ｂは、メーン壁３１６ａの第２溝３１６ａ５と第３溝３１６ａ６との間に配置される。突出部３１６ｂは、メーン壁３１６ａの第２流出開口３１６ａ８の上に配置される。メーン壁３１６ａは、第２溝３１６ａ５及び第３溝３１６ａ６と第２流出開口３１６ａ８との間に配置される介在部３１６ａ９をさらに含む。突出部３１６ｂは介在部３１６ａ９に連結される。突出部３１６ｂは第３方向Ｄ３に延長される。図３Ｄに示す断面図で、突出部３１６ｂの上面３１６ｂ１はベース３１１の上面に対して勾配を有する。
【００４８】
突出部３１６ｂの上面３１６ｂ１の最上部３１６ｂ１ｈは、メーン壁３１６ａの第１上面３１６ａ１の最下部３１６ａ１ｂ及び第２上面３１６ａ２の最下部３１６ａ２ｂよりも高いレベルに位置する。具体的に、突出部３１６ｂの上面３１６ｂ１の最上部３１６ｂ１ｈとベース３１１との間の最短距離は、メーン壁３１６ａの第１上面３１６ａ１の最下部３１６ａ１ｂとベース３１１との間の最短距離及び第２上面３１６ａ２の最下部３１６ａ２ｂとベース３１１との間の最短距離よりも大きい。突出部３１６ｂの上面３１６ｂ１の最上部３１６ｂ１ｈは、メーン壁３１６ａの第１上面３１６ａ１の最上部３１６ａ１ｔ及び第２上面３１６ａ２の最上部３１６ａ２ｔよりも低いレベルに位置する。また、突出部３１６ｂの上面３１６ｂ１の最上部３１６ｂ１ｈとベース３１１との間の最短距離は、メーン壁３１６ａの第１上面３１６ａ１の最上部３１６ａ１ｔとベース３１１との間の最短距離及び第２上面３１６ａ２の最上部３１６ａ２ｔとベース３１１との間の最短距離よりも小さい。突出部３１６ｂは、メーン壁３１６ａの内側面３１６ａ１０からメーン壁３１６ａの内側方向に突出する。
【００４９】
リアクションウェル３１３内には、第１磁石３１７、第２磁石３１８ａ、第１接合体３１８ｂ、発光体３１８ｃ、及び第２接合体３１８ｄが配置される。第１磁石３１７と第２磁石３１８ａとの間に作用する磁気力によって、第１磁石３１７と第２磁石３１８ａとは互いに引き寄せられる。第１磁石３１７、第２磁石３１８ａ、第１接合体３１８ｂ、発光体３１８ｃ、及び第２接合体３１８ｄの各々は作用基を含む。第２磁石３１８ａ及び発光体３１８ｃは表面処理によって作用基を含む。第１接合体３１８ｂの作用基と第２磁石３１８ａの作用基とが接合されて、第１接合体３１８ｂは第２磁石３１８ａに連結される。第２接合体３１８ｄの作用基と発光体３１８ｃの作用基とが接合されて、第２接合体３１８ｄは発光体３１８ｃに連結される。
【００５０】
第１磁石３１７は、ベース３１１及びウインドー４５４を介して第３磁石４５０から離隔される。第３磁石４５０の最大長さは、第１磁石３１７の最大長さよりも長い。これについては後述する。
【００５１】
カバー３２０は、第１開口壁３２１及び第２開口壁３２２を含む。
【００５２】
第１開口壁３２１は、カバー３２０の上面３２３から第４方向Ｄ４に突出する。第１開口壁３２１は、内部が空いた円筒の形状を有する。第１開口壁３２１によって第１カバー開口３２１ａが定義される。第１カバー開口３２１ａ内にカートリッジ本体３１０のリアクションウェル３１３が配置される。リアクションウェル３１３は第１開口壁３２１によって平面的に囲まれる。第１カバー開口３２１ａによって、リアクションウェル３１３がカバー３２０の外部へ開放される。即ち、第１カバー開口３２１ａによってリアクションウェル３１３が露出される。
【００５３】
第２開口壁３２２は、カバー３２０の上面３２３から第３方向Ｄ３に突出する。第２開口壁３２２は、内部が空いた円筒の形状を有する。第２開口壁３２２によって第２カバー開口３２２ａが定義される。カートリッジ本体３１０のバッファウェル３１２の上部が第２開口壁３２２によって平面的に囲まれる。
【００５４】
カバー３２０によって、カートリッジ本体３１０の連結部３１５のバルブ挿入部３１５ａ及びウエイストウェル３１４が覆われる。
【００５５】
バルブ３３０は、バルブ本体３３１及びバルブ突出部３３２を含む。バルブ本体３３１は円筒の形状を有する。バルブ突出部３３２は、バルブ本体３３１から第４方向Ｄ４に突出する。バルブ突出部３３２は平面視で、十字の形状を有する。バルブ本体３３１は、カートリッジ本体３１０の連結部３１５のバルブ挿入部３１５ａ内に挿入される。バルブ本体３３１は、バルブ挿入部３１５ａ内で回転可能である。バルブ突出部３３２は、バルブ支持部３１５ｅの支持部開口３１５ｅ１を通じてバルブ支持部３１５ｅの下に突出する。
【００５６】
バルブ本体３３１は、第１連結路３３１ａ、第２連結路３３１ｂ、及び第３連結路３３１ｃを含む。第１〜第３連結路（３３１ａ、３３１ｂ、３３１ｃ）は互いに連結される。第１連結路３３１ａと第２連結路３３１ｂとは互いに並行に連結される。第３連結路３３１ｃと、第１連結路３３１ａ及び第２連結路３３１ｂとは互いに直交して連結される。第１〜第３連結路（３３１ａ、３３１ｂ、３３１ｃ）は、バルブ本体３３１を貫通する。平面視で、第１〜第３連結路（３３１ａ、３３１ｂ、３３１ｃ）はＴ字形の構造を有する。バルブ本体３３１が回転することによって、第１〜第３連結路（３３１ａ、３３１ｂ、３３１ｃ）が回転する。第１〜第３連結路（３３１ａ、３３１ｂ、３３１ｃ）と、カートリッジ本体３１０の連結部３１５の第１〜第３連結管（３１５ｂ、３１５ｃ、３１５ｄ）とは同一平面上に配置される。
【００５７】
バッファ容器３４０は、バッファ容器本体３４１、第２突起３４２、第１分離膜３４３、及び第２分離膜３４４を含む。
【００５８】
バッファ容器本体３４１は、内部が空いた円筒の形状を有する。バッファ容器本体３４１の内部空間は、第１分離膜３４３及び第２分離膜３４４によって外部から分離される。第１分離膜３４３は、バッファ容器本体３４１の下方の開口を塞ぐ。第２分離膜３４４は、バッファ容器本体３４１の上方の開口を塞ぐ。バッファ容器本体３４１の内部にはバッファ液ＢＬが収容される。第２突起３４２は、バッファ容器本体３４１の外側壁３４１ａから外側方向に突出する。平面視で、第２突起３４２はバッファ容器本体３４１の外側壁３４１ａに沿って円形に形成される。第２突起３４２は弾性が相対的によい物質を含む。例えば、第２突起３４２はプラスチックを含み得る。
【００５９】
バッファ容器３４０は、バッファウェル３１２内に収容される。バッファ容器３４０の第２突起３４２がバッファウェル３１２の第１突起３１２ａ上に配置される。バッファウェル３１２の第１突起３１２ａによって、バッファ容器３４０の第２突起３４２が支持される。したがって、バッファ容器３４０がカートリッジ本体３１０の破砕部３１６上に配置される。また、バッファ容器３４０はベース３１１から離隔される。
【００６０】
図４Ａは、カートリッジ駆動部の斜視図である。図４Ｂは、カートリッジ駆動部の分解斜視図である。図４Ｃは、図４ＡのＡ−Ａ’線に沿った断面図である。
【００６１】
図４Ａ〜図４Ｃを参照すると、カートリッジ駆動部４００は、バルブ駆動モーター４１０、磁石駆動モーター４２０、ジョイント４３０、磁石収容部４４０、第３磁石４５０、及び駆動部ケース４６０を含む。
【００６２】
駆動部ケース４６０は、その内部に空いた空間を含む。バルブ駆動モーター４１０、磁石駆動モーター４２０、ジョイント４３０、磁石収容部４４０、及び第３磁石４５０は、駆動部ケース４６０内部の空いた空間に配置される。
【００６３】
バルブ駆動モーター４１０は、第１回転軸４１１を含む。第１回転軸４１１は、バルブ駆動モーター４１０の上面４１２から第３方向Ｄ３に突出する。バルブ駆動モーター４１０の動作に応じて、第１回転軸４１１が回転する。
【００６４】
バルブ駆動モーター４１０の第１回転軸４１１とジョイント４３０とが連結される。ジョイント４３０は、その下部に第１結合口４３１を含み、その上部に第２結合口４３２を含む。ジョイント４３０の第１結合口４３１にバルブ駆動モーター４１０の第１回転軸４１１が挿入される。バルブ駆動モーター４１０の第１回転軸４１１の回転に応じて、ジョイント４３０が回転する。第２結合口４３２は平面視で、十字の形状を有する。ジョイント４３０の第２結合口４３２にバルブ３３０のバルブ突出部３３２が挿入される。ジョイント４３０の第２結合口４３２はバルブ３３０のバルブ突出部３３２が挿入されるようにバルブ突出部３３２に対応した形状を有する。ジョイント４３０の回転に応じて、バルブ突出部３３２が回転し、バルブ３３０の全体が回転する。
【００６５】
バルブ駆動モーター４１０の上面４１２上に磁石駆動モーター４２０が配置される。磁石駆動モーター４２０は第２回転軸４２１を含む。第２回転軸４２１は磁石駆動モーター４２０の上面４２２上から第３方向Ｄ３に突出する。磁石駆動モーター４２０の動作に応じて、第２回転軸４２１が回転する。
【００６６】
磁石駆動モーター４２０の第２回転軸４２１と磁石収容部４４０とが連結される。磁石収容部４４０はその下部に第３結合口４４１を含み、その上部に磁石収容空間４４２を含む。磁石収容部４４０の第３結合口４４１に第２回転軸４２１が挿入される。第２回転軸４２１の回転に応じて、磁石収容部４４０が回転する。磁石収容空間４４２内に第３磁石４５０が配置される。第３磁石４５０は磁石収容部４４０に固定される。磁石収容部４４０の回転に応じて、第３磁石４５０が回転する。
【００６７】
駆動部ケース４６０は、カートリッジ溝４６１、バルブ開口４６２、磁石開口４６３、及びウインドー４６４を含む。カートリッジ溝４６１は、駆動部ケース４６０の上面に配置される。カートリッジ溝４６１は、駆動部ケース４６０の上面からケース１００の底面１２０方向に陥没する。カートリッジ溝４６１にカートリッジ３００の下部が挿入される。バルブ開口４６２、磁石開口４６３、及びウインドー４６４はカートリッジ溝４６１内に配置される。
【００６８】
バルブ開口４６２によって、ジョイント４３０の第２結合口４３２が駆動部ケース４６０の外部へ露出される。カートリッジ３００のバルブ３３０のバルブ突出部３３２がバルブ開口４６２を通じてジョイント４３０の第２結合口４３２に挿入される。
【００６９】
磁石開口４６３はウインドー４６４によって覆われる。ウインドー４６４は透明である。ウインドー４６４の下に第３磁石４５０が配置される。ウインドー４６４を通じて、第３磁石４５０が視覚的に駆動部ケース４６０の外部に露出される。ウインドー４６４の上にカートリッジ本体３１０のリアクションウェル３１３が配置される。
【００７０】
図５Ａは、支持部に連結された構成要素を説明するための斜視図である。図５Ｂは、アクション部を上から見た斜視図である。図５Ｃは、アクション部を下から見た斜視図である。図５Ｄは、図５ＢのＡ−Ａ’線に沿った断面図である。
【００７１】
図５Ａ〜図５Ｄを参照すると、アクション部６００は、アクション板６１０、ヒーター６２０、ヒーティング板６３０、ヒーティング板固定部６４０、ヒーティングカバー６５０、加圧部６６０、パッキング６７０、スプリング６８０、及びノズル６９０を含む。
【００７２】
アクション板６１０は平らな板の形状を有する。アクション板６１０は上下方向に（即ち、第３方向Ｄ３及び第４方向Ｄ４に）移動する。アクション板６１０は複数の外側開口６１１を含む。支持部５００の支持台５１０は外側開口６１１の各々を貫通する。支持台５１０と外側開口６１１との間にパッキング６７０が配置される。パッキング６７０は弾性が相対的によい物質を含む。一例として、４つのパッキング６７０が配置される。
【００７３】
アクション板６１０はその中心部に内側開口６１２を含む。ノズル６９０の一部分が内側開口６１２内に配置されて、ノズル６９０が固定される。
【００７４】
アクション板６１０の下にヒーティング板６３０が配置される。ヒーティング板６３０とアクション板６１０との間にヒーティング板固定部６４０が配置される。ヒーティング板固定部６４０によって、ヒーティング板６３０がアクション板６１０の下に固定される。一例として、４つのヒーティング板固定部６４０が配置される。一例として、ヒーティング板６３０は、アルミニウム、銅、又は鉄の中の少なくとも１つを含む。
【００７５】
ヒーティング板６３０は、ヒーティング板開口６３１を含む。ヒーティング板開口６３１内にヒーティングカバー６５０の一部分が配置されて、ヒーティングカバー６５０がヒーティング板６３０に固定される。ヒーティングカバー６５０はヒーティング板６３０から第４方向Ｄ４に突出する。ヒーティングカバー６５０は内部が空いた円筒の形状を有する。ヒーティングカバー６５０内にヒーティング空間ＨＳが提供される。ヒーティング空間ＨＳは、カートリッジ３００のカートリッジ本体３１０のリアクションウェル３１３が収容可能なサイズを有する。一例として、ヒーティングカバー６５０は、アルミニウム、銅、又は鉄の中の少なくとも１つを含む。
【００７６】
アクション板６１０とヒーティング板６３０との間、及びアクション板６１０とヒーティングカバー６５０との間にヒーター６２０が配置される。ヒーター６２０は外部から電力が供給されて熱を発生させる。一例として、ヒーター６２０は、シリコン、アルミニウム、銅、セラミック、ニッケルクロム、及び炭素繊維の中の少なくとも１つを含み得る。他の例として、ヒーター６２０はペルチェ素子を含む。ヒーター６２０で発生した熱はヒーティング板６３０及びヒーティングカバー６５０に伝達される。
【００７７】
加圧部６６０は、アクション板６１０から第４方向Ｄ４に突出する。加圧部６６０は円筒の形状を有する。加圧部６６０の直径は、カートリッジ３００のカバー３２０の第２カバー開口３２２ａの直径よりも小さい。また、加圧部６６０は第２カバー開口３２２ａを通過する。加圧部６６０はアクション板６１０が下方に（即ち、第４方向Ｄ４に）移動するのに応じて、第２カバー開口３２２ａを通過してバッファ容器３４０を加圧する。
【００７８】
スプリング６８０は、アクション板６１０と、支持部５００の支持板５２０との間に配置される。スプリング６８０は、アクション板６１０の各々の外側開口６１１の上に配置される。一例として、４つのスプリング６８０が配置される。支持部５００の支持台５１０がスプリング６８０を貫通する。スプリング６８０はアクション板６１０の上昇（即ち、第３方向Ｄ３への移動）に応じて圧縮される。
【００７９】
ノズル６９０は、インレット部６９１及びアウトレット部６９２を含む。インレット部６９１は上部６９１ａ及び下部６９１ｂを含む。インレット部６９１の上部６９１ａは、アクション板６１０の内側開口６１２内に配置される。インレット部６９１の下部６９１ｂの幅は、インレット部６９１の上部６９１ａの幅よりも大きい。インレット部６９１の下部６９１ｂによって、アウトレット部６９２を収容する空間が定義される。インレット部６９１の下部６９１ｂ内に、アウトレット部６９２が配置される。インレット部６９１はインレット開口６９１ｃを含み、アウトレット部６９２はアウトレット開口６９２ａを含む。インレット開口６９１ｃとアウトレット開口６９２ａとは互いに連結される。
【００８０】
ポンプ７００は、空気圧ポンプである。ポンプ７００は、圧力調節部７１０及び連結チューブ７２０を含む。圧力調節部７１０は、支持部５００の支持板５２０の上に配置される。圧力調節部７１０は空気を吸入又は排出する。連結チューブ７２０によって、圧力調節部７１０はアクション部６００のノズル６９０のインレット部６９１に連結される。連結チューブ７２０は、支持部５００の支持板５２０を貫通する。圧力調節部７１０及び連結チューブ７２０に連結されることによって、ノズル６９０はアウトレット部６９２を通じて空気を吸入又は排出することができる。
【００８１】
計測部８００は、支持部５００の支持板５２０の側壁に連結される。
【００８２】
一例として、計測部８００は、光源、光センサー、及びプロセッサを含む。この場合、計測部８００は光源から蛍光体に光を照射し、蛍光体から放射される光を光センサーで獲得した後、プロセッサを利用して獲得された光を分析する。
【００８３】
他の例として、計測部８００は、光センサー及びプロセッサを含む。この場合、計測部８００は自発光体から放射される光を光センサーで獲得した後、プロセッサを利用して、獲得された光を分析する。
【００８４】
計測部８００は、カートリッジ本体３１０のリアクションウェル３１３内から放射される光を獲得する。リアクションウェル３１３内から放射される光は、カートリッジ３００のカバー３２０の第１カバー開口３２１ａを通じてカートリッジ３００の外部へ放射される。
【００８５】
第２トランスファー９００は、動力部９１０、ホィール９２０、及びワイヤー９３０を含む。動力部９１０は、支持部５００の支持板５２０の上に配置される。動力部９１０は、ホィール９２０に連結される。動力部９１０の駆動によって、ホィール９２０が回転する。ホィール９２０の回転に応じて、ワイヤー９３０がホィール９２０に巻かれるか、又はホィール９２０から巻き出される。ワイヤー９３０は、支持部５００の支持板５２０を貫通して、アクション部６００のアクション板６１０に連結される。ワイヤー９３０がホィール９２０に巻かれると、アクション板６１０が上方に（即ち、第３方向Ｄ３に）上昇する。アクション板６１０の上昇に応じて、アクション部６００のスプリング６８０が圧縮される。ワイヤー９３０がホィール９２０から巻き出されると、圧縮されたスプリング６８０の弾性力によって、アクション板６１０が下方に（即ち、第４方向Ｄ４に）下降する。
【００８６】
図６は、本発明の一実施形態による診断システムの駆動方法を説明するためのフローチャートである。
【００８７】
図６を参照すると、本発明の一実施形態による診断システムの駆動方法は、試料をリアクションウェルに投入する段階（Ｓ１００）、バッファ液をバッファウェルに投入する段階（Ｓ２００）、バッファ液をリアクションウェルに投入する段階（Ｓ３００）、反応結果物を形成する段階（Ｓ４００）、バッファ液をリアクションウェルから除去する段階（Ｓ５００）、洗浄段階（Ｓ６００）、及び計測段階（Ｓ７００）を含む。
【００８８】
図７〜図１２は、本発明の一実施形態による診断システムの動作を説明するための図である。
【００８９】
図７を参照すると、試料をリアクションウェルに投入する段階（Ｓ１００）で、カートリッジ本体３１０のリアクションウェル３１３内に試料ＳＡを投入する。一例として、試料ＳＡは血液である。試料ＳＡは反応体ＲＭを含む。反応体ＲＭは、リアクションウェル３１３内の第１接合体３１８ｂ及び第２接合体３１８ｄと反応して、第１接合体３１８ｂ及び第２接合体３１８ｄに結合する物質である。例えば、第１接合体３１８ｂ及び第２接合体３１８ｄと反応体ＲＭとは抗原抗体反応をする。他の例として、第１接合体３１８ｂ及び第２接合体３１８ｄと反応体ＲＭとはＳｔｒｅｐｔａｖｉｄｉｎ−Ｂｉｏｔｉｎ反応をする。
【００９０】
図８Ａ〜図８Ｄを参照すると、バッファ液をバッファウェルに投入する段階（Ｓ２００）で、バッファ容器３４０内のバッファ液ＢＬをカートリッジ本体３１０のバッファウェル３１２に投入する。
【００９１】
第１トランスファー２００の移送板２５０を利用して、カートリッジ３００のバッファ容器３４０がアクション部６００の加圧部６６０の下に配置されるようにカートリッジ３００を移送させる。カートリッジ３００のバッファ容器３４０がアクション部６００の加圧部６６０の下に配置されると、アクション部６００のアクション板６１０を下降させて、加圧部６６０でバッファ容器３４０を加圧する。加圧部６６０はカートリッジ３００のカバー３２０の第２カバー開口３２２ａを通過して、バッファ容器３４０を加圧する。
【００９２】
加圧部６６０がバッファ容器３４０を加圧するのに応じて、バッファ容器３４０が下降する。より詳細には、加圧部６６０がバッファ容器３４０を加圧すると、バッファ容器３４０の第２突起３４２がバッファウェル３１２の第１突起３１２ａを超えて、バッファ容器３４０が下降する（図３Ｅ参照）。
【００９３】
図８Ｃを参照すると、バッファ容器３４０の下降によって、バッファ容器３４０の第１分離膜３４３と破砕部３１６のメーン壁３１６ａの第１上面３１６ａ１及び第２上面３１６ａ２とが接触する。第１分離膜３４３とメーン壁３１６ａの第１上面３１６ａ１及び第２上面３１６ａ２とが接触することによって、第１分離膜３４３が破砕される。第１分離膜３４３の破砕された部分３４３ａは、メーン壁３１６ａの第１上面３１６ａ１及び第２上面３１６ａ２に接する。第１分離膜３４３の破砕された部分３４３ａは、メーン壁３１６ａの第１上面３１６ａ１及び第２上面３１６ａ２に沿って延長する。第１分離膜３４３の破砕された部分３４３ａは、メーン壁３１６ａの流入開口３１６ａ３を覆う。
【００９４】
第１分離膜３４３が破砕されて、メーン壁３１６ａの第１溝３１６ａ４とバッファ容器３４０の内側とが連結される。バッファ容器３４０内のバッファ液ＢＬがメーン壁３１６ａの第１溝３１６ａ４を通じてメーン壁３１６ａの第１空間ＳＰ１内に流入される。
【００９５】
図８Ｄを参照すると、バッファ容器３４０の下降によって、バッファ容器３４０の第１分離膜３４３と破砕部３１６の突出部３１６ｂとが接触する。突出部３１６ｂに接触することによって、第１分離膜３４３の破砕された部分３４３ａは、メーン壁３１６ａの第１上面３１６ａ１及び第２上面３１６ａ２から離隔される。また、メーン壁３１６ａの流入開口３１６ａ３が開放される。バッファ容器３４０内のバッファ液ＢＬがメーン壁３１６ａの流入開口３１６ａ３を通じて第１空間ＳＰ１内に流入する。
【００９６】
第１空間ＳＰ１内に流入したバッファ液ＢＬは、第２溝３１６ａ５及び第３溝３１６ａ６（図３Ｈ参照）と、第１流出開口３１６ａ７及び第２流出開口３１６ａ８とを通じてメーン壁３１６ａの外部へ流出する。
【００９７】
再び図８Ａ〜図８Ｄを参照すると、バッファウェル３１２内に流入したバッファ液ＢＬは、バルブ３３０によって遮断され、バッファウェル３１２からリアクションウェル３１３及びウエイストウェル３１４に移動しない。
【００９８】
図９Ａ〜図９Ｃを参照すると、バッファ液をリアクションウェルに投入する段階（Ｓ３００）で、バッファウェル３１２内のバッファ液ＢＬをリアクションウェル３１３に投入する。
【００９９】
第１トランスファー２００の移送板２５０の移動によって、カートリッジ３００のリアクションウェル３１３がアクション部６００のノズル６９０の下に配置される。
【０１００】
続いて、バルブ３３０が回転する。カートリッジ駆動部４００のバルブ駆動モーター４１０の第１回転軸４１１が回転することによって、バルブ３３０が回転する。バルブ３３０の回転に応じて、バルブ本体３３１の第２連結路３３１ｂが連結部３１５の第１連結管３１５ｂに連結され、バルブ本体３３１の第１連結路３３１ａが連結部３１５の第２連結管３１５ｃに連結される。
【０１０１】
アクション部６００が下降して、ノズル６９０とリアクションウェル３１３とが連結される。ノズル６９０のアウトレット部６９２とリアクションウェル３１３の上面３１３ａとが接しながら、ノズル６９０がリアクションウェル３１３の内部を覆う。ノズル６９０のインレット部６９１のインレット開口６９１ｃ及びアウトレット部６９２のアウトレット開口６９２ａはリアクションウェル３１３内の空間に連通される。ポンプ７００の圧力調節部７１０の駆動によって、ノズル６９０はリアクションウェル３１３内の空気を吸入する。ノズル６９０によってリアクションウェル３１３内の空気が吸入されることにより、バッファ液ＢＬがバッファウェル３１２からリアクションウェル３１３に移動する。ノズル６９０の空気吸入量に応じて、バッファ液ＢＬの移動量が調節される。バッファ液ＢＬがリアクションウェル３１３内に移動することによって、リアクションウェル３１３内にバッファ液ＢＬが満たされる。リアクションウェル３１３内の試料ＳＡはバッファ液ＢＬによって希釈され、反応体ＲＭはバッファ液ＢＬ内に残留する。
【０１０２】
図１０Ａ〜図１０Ｃを参照すると、反応結果物を形成する段階（Ｓ４００）で、第１接合体３１８ｂ及び第２接合体３１８ｄと、反応体ＲＭとを反応させて、反応結果物ＲＲを生成する。
【０１０３】
第１連結管３１５ｂと第２連結管３１５ｃとが連結されないように、バルブ３３０を回転させる。バッファウェル３１２内のバッファ液ＢＬは、バルブ３３０によって遮断され、リアクションウェル３１３又はウエイストウェル３１４に移動できない。リアクションウェル３１３内のバッファ液ＢＬは、バルブ３３０によって遮断され、バッファウェル３１２又はウエイストウェル３１４に移動できない。
【０１０４】
第１トランスファー２００の移送板２５０を利用して、カートリッジ３００のリアクションウェル３１３がアクション部６００のヒーティングカバー６５０の下に配置されるようにカートリッジ３００を移動させる。アクション部６００が下降して、ヒーティングカバー６５０でリアクションウェル３１３を覆う。ヒーティングカバー６５０のヒーティング空間ＨＳ内にリアクションウェル３１３が収容される。アクション部６００のヒーター６２０を利用して、ヒーティングカバー６５０を加熱する。アクション部６００のヒーティング板６３０は、ヒーティングカバー６５０と共に加熱されることによって、加熱されたヒーティングカバー６５０の温度を相対的に長く維持させる役割を果たす。ヒーティングカバー６５０を加熱することにより、ヒーティングカバー６５０によってリアクションウェル３１３内の温度が上昇する。リアクションウェル３１３内の温度は、第１接合体３１８ｂ及び第２接合体３１８ｄと、反応体ＲＭとが反応することができる温度まで上昇する。
【０１０５】
カートリッジ駆動部４００の磁石駆動モーター４２０の駆動によって、第３磁石４５０が回転する。第３磁石４５０の回転に応じて、第１磁石３１７が回転する。第１磁石３１７の回転に応じて、第２磁石３１８ａが第１磁石３１７から離隔される。第１磁石３１７の回転に応じて、リアクションウェル３１３内のバッファ液ＢＬが攪拌される。
【０１０６】
リアクションウェル３１３内の温度が上昇し、リアクションウェル３１３内のバッファ液ＢＬが攪拌されることによって、リアクションウェル３１３内の第１接合体３１８ｂ及び第２接合体３１８ｄと、反応体ＲＭとが反応する。また、第１及び第２接合体（３１８ｂ、３１８ｄ）は反応体ＲＭと互いに連結される。第１接合体３１８ｂ及び第２接合体３１８ｄと、反応体ＲＭとの反応に応じて、第２磁石３１８ａ、第１接合体３１８ｂ及び第２接合体３１８ｄ、反応体ＲＭ、及び発光体３１８ｃを含む反応結果物ＲＲが生成される。
【０１０７】
図１１Ａ〜図１１Ｃを参照すると、バッファ液をリアクションウェルから除去する段階（Ｓ５００）で、リアクションウェル３１３内のバッファ液ＢＬをウエイストウェル３１４に移動させる。
【０１０８】
第１トランスファー２００の移送板２５０の移動によって、カートリッジ３００のリアクションウェル３１３がアクション部６００のノズル６９０の下に配置される。
【０１０９】
続いて、バルブ３３０が回転する。バルブ３３０の回転に応じて、バルブ本体３３１の第１連結路３３１ａが連結部３１５の第３連結管３１５ｄに連結され、バルブ本体３３１の第３連結路３３１ｃが連結部３１５の第２連結管３１５ｃに連結される。
【０１１０】
アクション部６００が下降して、ノズル６９０とリアクションウェル３１３とが連結される。ポンプ７００の圧力調節部７１０の駆動によって、ノズル６９０はリアクションウェル３１３内に空気を排出する。ノズル６９０によってリアクションウェル３１３内に空気が排出されることによって、バッファ液ＢＬがリアクションウェル３１３からウエイストウェル３１４に移動する。ノズル６９０の空気排出量に応じて、バッファ液ＢＬの移動量が調節される。バッファ液ＢＬがウエイストウェル３１４内に移動することによって、リアクションウェル３１３内のバッファ液ＢＬが除去される。反応結果物ＲＲの第２磁石３１８ａは第１磁石３１７に吸付く。バッファ液ＢＬがウエイストウェル３１４に移動する場合、第２磁石３１８ａが第１磁石３１７に吸付くことによって、反応結果物ＲＲはバッファ液ＢＬと共に移動しない。即ち、反応結果物ＲＲはリアクションウェル３１３内に残留する。反応結果物ＲＲを除外した残りの物質（例えば、第２磁石３１８ａに連結されなかった発光体３１８ｃ及び第２接合体３１８ｄ）はバッファ液ＢＬの移動と共にウエイストウェル３１４に移動する。
【０１１１】
続いて、洗浄段階（Ｓ６００）を進行する。洗浄段階（Ｓ６００）は、図８Ａ〜図８Ｃで説明したリアクションウェル３１３内にバッファ液ＢＬを満たすこと、図９Ａ〜図９Ｃで説明したリアクションウェル３１３内のバッファ液ＢＬを攪拌すること、図１０Ａ〜図１０Ｃで説明したリアクションウェル３１３内のバッファ液ＢＬを除去することを含む。
【０１１２】
洗浄段階（Ｓ６００）によって、反応結果物ＲＲを除外した異物質がリアクションウェル３１３内から除去される。したがって、反応結果物ＲＲの測定が相対的に正確に行われる。
【０１１３】
図１２を参照すると、計測段階（Ｓ７００）で、リアクションウェル３１３内の発光体３１８ｃによる光を計測する。
【０１１４】
第１トランスファー２００の移送板２５０を利用して、カートリッジ３００のリアクションウェル３１３を計測部８００の下に移動させる。続いて、図８Ａ〜図８Ｃで説明したようにリアクションウェル３１３内にバッファ液ＢＬを満たし、図９Ａ〜図９Ｃで説明したようにリアクションウェル３１３内のバッファ液ＢＬを攪拌する。リアクションウェル３１３内のバッファ液ＢＬを攪拌した直後に、計測部８００を利用して発光体３１８ｃから放射される光を獲得する。獲得された光を分析して、試料ＳＡが特定の反応体ＲＭを有しているか否かを診断する。発光体３１８ｃは第２磁石３１８ａに連結された場合にのみ、リアクションウェル３１３内に残留するので、試料ＳＡが第１接合体３１８ｂ及び第２接合体３１８ｄと反応する反応体ＲＭを有する場合にのみ、発光体３１８ｃがリアクションウェル３１３内に残留し、発光体３１８ｃから放射される光を計測部８００で獲得することができる。
【０１１５】
以上、図面を参照しながら本発明の実施形態を説明したが、本発明が属する技術分野で通常の知識を有する者には、本発明がその技術的思想や必須的な特徴を変更することなく、他の具体的な形態で実施できることが理解される。したがって、以上で記載した実施形態はすべての面で例示的なものであり、本発明を限定するものではない。
【符号の説明】
【０１１６】
１００    ケース
１１０    カートリッジ開口
１２０    底面
２００    第１トランスファー
２１０    駆動ローラー
２２０    回転ローラー
２３０    ベルト
２４０    レール
２５０    移送板
３００    カートリッジ
３１０    カートリッジ本体
３１１    ベース
３１２    バッファウェル
３１２ａ    第１突起
３１３    リアクションウェル
３１３ａ    （リアクションウェルの）上面
３１４    ウエイストウェル
３１５    連結部
３１５ａ    バルブ挿入部
３１５ｂ    第１連結管
３１５ｃ    第２連結管
３１５ｄ    第３連結管
３１５ｅ    バルブ支持部
３１５ｅ１    支持部開口
３１６    破砕部
３１６ａ    メーン壁
３１６ａ１    第１上面
３１６ａ１ｔ    （メーン壁の第１上面の）最上部
３１６ａ１ｂ    （メーン壁の第１上面の）最下部
３１６ａ２    第２上面
３１６ａ２ｔ    （メーン壁の第２上面の）最上部
３１６ａ２ｂ    （メーン壁の第２上面の）最下部
３１６ａ３    流入開口
３１６ａ４    第１溝
３１６ａ５    第２溝
３１６ａ６    第３溝
３１６ａ７    第１流出開口
３１６ａ８    第２流出開口
３１６ａ９    介在部
３１６ｂ    突出部
３１６ｂ１    （突出部の）上面
３１６ｂ１ｈ    （突出部の上面の）最上部
３１７    第１磁石
３１８ａ    第２磁石
３１８ｂ    第１接合体
３１８ｃ    発光体
３１８ｄ    第２接合体
３２０    カバー
３２１    第１開口壁
３２１ａ    第１カバー開口
３２２    第２開口壁
３２２ａ    第２カバー開口
３２３    （カバーの）上面
３３０    バルブ
３３１    バルブ本体
３３１ａ    第１連結路
３３１ｂ    第２連結路
３３１ｃ    第３連結路
３３２    バルブ突出部
３４０    バッファ容器
３４１    バッファ容器本体
３４２    第２突起
３４３    第１分離膜
３４３ａ    破砕された部分
３４４    第２分離膜
４００    カートリッジ駆動部
４１０    バルブ駆動モーター
４１１    第１回転軸
４１２    （バルブ駆動モーターの）上面
４２０    磁石駆動モーター
４２１    第２回転軸
４２２    （磁石駆動モーターの）上面
４３０    ジョイント
４３１    第１結合口
４３２    第２結合口
４４０    磁石収容部
４４１    第３結合口
４４２    磁石収容空間
４５０    第３磁石
４５４    ウインドー
４６０    駆動部ケース
４６１    カートリッジ溝
４６２    バルブ開口
４６３    磁石開口
４６４    ウインドー
５００    支持部
５１０    支持台
５２０    支持板
６００    アクション部
６１０    アクション板
６１１    外側開口
６１２    内側開口
６２０    ヒーター
６３０    ヒーティング板
６３１    ヒーティング板開口
６４０    ヒーティング板固定部
６５０    ヒーティングカバー
６６０    加圧部
６７０    パッキング
６８０    スプリング
６９０    ノズル
６９１    インレット部
６９１ａ    （インレット部の）上部
６９１ｂ    （インレット部の）下部
６９１ｃ    インレット開口
６９２    アウトレット部
６９２ａ    アウトレット開口
７００    ポンプ
７１０    圧力調節部
７２０    連結チューブ
８００    計測部
９００    第２トランスファー
９１０    動力部
９２０    ホィール
９３０    ワイヤー
ＢＬ    バッファ液
ＨＳ    ヒーティング空間
ＲＭ    反応体
ＲＲ    反応結果物
ＳＡ    試料
ＳＰ１    第１空間
【図１】
2020095010.tif 000003
【図２】
2020095010.tif 000004
【図３Ａ】
2020095010.tif 000005
【図３Ｂ】
2020095010.tif 000006
【図３Ｃ】
2020095010.tif 000007
【図３Ｄ】
2020095010.tif 000008
【図３Ｅ】
2020095010.tif 000009
【図３Ｆ】
2020095010.tif 000010
【図３Ｇ】
2020095010.tif 000011
【図３Ｈ】
2020095010.tif 000012
【図３Ｉ】
2020095010.tif 000013
【図４Ａ】
2020095010.tif 000014
【図４Ｂ】
2020095010.tif 000015
【図４Ｃ】
2020095010.tif 000016
【図５Ａ】
2020095010.tif 000017
【図５Ｂ】
2020095010.tif 000018
【図５Ｃ】
2020095010.tif 000019
【図５Ｄ】
2020095010.tif 000020
【図６】
2020095010.tif 000021
【図７】
2020095010.tif 000022
【図８Ａ】
2020095010.tif 000023
【図８Ｂ】
2020095010.tif 000024
【図８Ｃ】
2020095010.tif 000025
【図８Ｄ】
2020095010.tif 000026
【図９Ａ】
2020095010.tif 000027
【図９Ｂ】
2020095010.tif 000028
【図９Ｃ】
2020095010.tif 000029
【図１０Ａ】
2020095010.tif 000030
【図１０Ｂ】
2020095010.tif 000031
【図１０Ｃ】
2020095010.tif 000032
【図１１Ａ】
2020095010.tif 000033
【図１１Ｂ】
2020095010.tif 000034
【図１１Ｃ】
2020095010.tif 000035
【図１２】
2020095010.tif 000036